(57)【要約】【課題】  車輪径や車軸間距離の異なる自転車でも、そのままローラー台にのせれば容易に使用できる自転車走行練習装置を提供する。【解決手段】  前端ローラー１０Ａ１と後端ローラー１０Ａ５を、中間ローラー１０Ａ２、１０Ａ３、１０Ａ４より高く配置し、前輪５１が前端ローラー又は後端ローラーをのりこえないようにし、中間ローラーのうち、ローラー１０Ａ３を電動機２０Ａにより駆動回転して前輪を回転できるようにした前輪のせローラー台Ａと、前端ローラー１０Ｂ１と後端ローラー１０Ｂ６を、中間ローラー１０Ｂ２、１０Ｂ３、１０Ｂ４及び１０Ｂ５より高く配置し、後輪５２が前端ローラー又は後端ローラーを乗りこえないようにして、ペダル５３の回動により、後輪を回転できるようにした後輪のせローラー台Ｂからなり、自転車５０をそれぞれのローラー台Ａ、Ｂ上にのせて自立走行させる練習ができるようにしたもの。【選択図】    図６
2008068810.tif 000002
【特許請求の範囲】
【請求項１】
フレームに平行に配置した複数個の遊転ローラーのうち、前端のローラーの頂面と後端のローラーの頂面とを、中間のローラーの頂面より高く配置して、ローラーにのせられた自転車の前輪の回転に伴って、前輪が前端のローラー又は後端のローラーをのりこえないようにすると共に、中間ローラーのうち、少なくとも１個のローラーを前記フレームに配置した電動機により駆動回転して前輪を回転できるようにした前輪のせローラー台と、フレームに平行に配置した複数個の遊転ローラーのうち、前端のローラーの頂面と後端のローラーの頂面とを、中間のローラーの頂面より高く配置して、ローラーにのせられた自転車の後輪の回転に伴って、後輪が前端のローラー又は後端のローラーを乗りこえないようにして、自転車のペダルを回動することにより、後輪を回転できるようにした後輪のせローラー台とからなり、ペダルを回動することにより、自転車の後輪を回転させると共に、自転車の前輪を電動機により回転して、自転車をそれぞれのローラー台上を自立走行させる練習をすることができるようにしたことを特徴とする自転車走行練習装置。
【請求項２】
後輪のせローラー台の中間ローラーに、自転車の後輪に設けた両足スタンドが立設されたまま後輪がのせられるように、中間ローラーの間をあけると共に、乗車したとき立設された両足スタンドが接地面より僅かに浮き上がるように、接地距離を調節した接地板を配設できるようにしたことを特徴とする請求項１記載の自転車走行練習装置。
【発明の詳細な説明】
【技術分野】
【０００１】
本発明は、自転車の前輪と後輪とを、それぞれ独立した２個のローラー台の上にのせて、自転車を独立した２個のローラー台により自立走行させる練習をすることができるようにした自転車走行練習装置に関する。
【背景技術】
【０００２】
実公開平２−７７０６０号公報の図１及び図３に示すように、従来の自転車走行練習装置は、１個のローラー台において、１個の前輪のせローラー２上に自転車の前輪をのせ、１対の後輪のせローラー３、３に後輪を狭着するようにのせて、ペダルを回動することにより、後輪のせローラー３、３を回転させると共に、ベルト１０の伝動により前輪のせローラー２を従動させて、自転車の自立走行練習ができるように装置されて実用化されていた。
この種の自転車走行練習装置は、主として、２６インチ、２７インチの車輪径の自転車に使用されていたため、車輪径が２４インチ、２０インチ又は１６インチ等の小径の車輪径の自転車をのせるためには、前輪のせローラーの位置、１対の後輪のせローラー間の間隔、ベルト長さ等をその都度変更できるように改造しなければ使用できない欠点があった。
また、特公昭５０−７１４２５号公報に示す自転車走行練習装置は、前輪のせローラーの位置、１対の後輪のせローラー間の間隔を調節できるようにして、車輪径や車軸間距離の異なる各種の自転車を使用できるように配慮しているが、自転車の車輪径や車軸間距離に応じて、装置をいちいちボルトナットを介して調節する必要があり、かなり面倒な作業のため、自転車走行練習装置として実用化されていない欠点があった。
【特許文献１】実公開平２−７７０６０号公報
【特許文献１】特公昭５０−７１４２５号公報
【発明の開示】
【発明が解決しようとする課題】
【０００３】
本発明は、車輪径や車軸間距離の異なる自転車でも、ローラー台で調節作業をすることなく、そのままローラー台にのせれば容易に使用できるようにした自転車走行練習装置を提供するものである。
さらに、本発明は、安全で、安価、小型に製作でき、使用及び格納に便利な自転車走行練習装置を提供するものである。
【課題を解決するための手段】
【０００４】
本発明の自転車走行練習装置は、上記課題を達成するため、図示するように、フレームに平行に配置した複数個の遊転ローラーのうち、前端のローラーの頂面と後端のローラーの頂面とを、中間のローラーの頂面より高く配置して、ローラーにのせられた自転車の前輪の回転に伴って、前輪が前端のローラー又は後端のローラーをのりこえないようにすると共に、中間ローラーのうち、少なくとも１個のローラーを前記フレームに配置した電動機により駆動回転して前輪を回転できるようにした前輪のせローラー台と、フレームに平行に配置した複数個の遊転ローラーのうち、前端のローラーの頂面と後端のローラーの頂面とを、中間のローラーの頂面より高く配置して、ローラーにのせられた自転車の後輪の回転に伴って、後輪が前端のローラー又は後端のローラーを乗りこえないようにして、自転車のペダルを回動することにより、後輪を回転できるようにした後輪のせローラー台とからなり、ペダルを回動することにより、自転車の後輪を回転させると共に、自転車の前輪を電動機により回転して、自転車をそれぞれのローラー台上を自立走行させる練習をすることができるようにしたものである。
本発明の自転車走行練習装置は、上記課題を達成するため、図示するように、後輪のせローラー台の中間ローラーに、自転車の後輪に設けた両足スタンドが立設されたまま後輪がのせられるように、中間ローラーの間をあけると共に、乗車したとき立設された両足スタンドが接地面より僅かに浮き上がるように、接地距離を調節した接地板を配設できるようにしたものである。
本発明において、ローラーは、複数個のローラー上に自転車の車輪をのせるため、ローラー径は従来使用されている約１１０ミリメートルより極めて小径の約２５〜３８ミリメートル程度でよく、また、電動機により駆動されるローラーは約３０〜６０ミリメートル程度のローラー径程度でよい。電動機により駆動されるローラーは、他の中間ローラーの頂面よりやや高い頂面になるように配設することもできる。また、電動機により駆動回転させるローラーは、ローラーの片側にプーリ溝を形成して電動機軸に取りつけたプーリと丸ゴムベルトによりベルト伝動させることが好ましい。
【発明の効果】
【０００５】
本発明自転車走行練習装置は、車輪径や車軸間距離の異なる大小の自転車を、そのまま、ローラー台２台にそれぞれ自転車の前輪と後輪とをのせられるようにすれば、使用することができ、車輪径や車軸間距離に対応したローラー間の調節は全く不用である。後輪を乗者が自力でペダル回動すると同時に、前輪を電動機により駆動回転すれば、自転車は自立走行の練習ができ、全身運動と共に、平衡感覚を訓練できるという他の健康機器にない利点を有する。
また、本発明自転車走行練習装置は、地面（床面）に近い複数の小径のローラー上に自転車の車輪をのせることができるので、老人、婦人、小児でも容易に使用でき、その際、両足スタンドを立てて僅かに接地面より浮くようにして使用すれば初心者の走行練習や健康機器として気軽に使用できる利点がある。３輪自転車の場合は、本発明自転車走行練習装置は、前輪のせローラー台１台と後輪のせローラー台２台、または、前輪のせローラー台２台と後輪のせローラー台１台を配置すれば使用できる。
さらに、本発明自転車走行練習装置は、小型のローラー台からなるので、格納や運搬移動が便利で、また、構造簡単で量産可能なため安価に製作できる利点がある。
【発明を実施するための最良の形態】
【０００６】
本発明自転車走行練習装置は、前輪のせローラー台と後輪のせローラー台とを備えている。
【実施例１】
【０００７】
本発明自転車走行練習装置は、図１乃至図６に示されている。本発明実施例１の自転車走行練習装置は、前輪のせローラー台Ａと後輪のせローラー台Ｂとからなる。
前輪のせローラー台Ａは、図１及び図２に示すように、５個の遊転ローラー１０Ａと電動機２０Ａと丸ゴムベルト３０Ａとフレーム４０Ａとを備えている。
遊転ローラー１０Ａは、前端ローラー１０Ａ１及び後端ローラー１０Ａ５と中間ローラー１０Ａ２、１０Ａ３及び１０Ａ４とからなり、各ローラーは、それぞれ平行フレーム４１Ａに、図３及び図４に示すように、円筒パイプ１０ａ１又は１０ａ１１の両端に軸受体１０ａ２又は１０ａ２１及び１０ａ２２を介して支持軸１０ａ３がフレーム４１Ａに支持されている。前端ローラー１０Ａ１及び後端ローラー１０Ａ５の各頂面は、中間ローラー１０Ａ２、１０Ａ３及び１０Ａ４の各頂面より高い位置になるようにフレーム４１Ａに支持され、自転車５０の前輪５１を、各ローラーにのせて回転させたとき、前端ローラー１０Ａ１及び後端ローラー１０Ａ５を乗り越えられるようにしている。
ローラー１０Ａ３は、図４に示すように、円筒パイプ１０ａ１１の片側にプーリ用の円溝１０ａ５を設けた軸受体１０ａ２１が固着され、後記電動機軸２１Ａに固着されたプーリ２２Ａとの間に丸ゴムベルト３０Ａが張設される。電動機２０Ａは、平行フレーム４２Ａに取りつけられ、電動機軸２１Ａにプーリ２２Ａを軸着し、また、電動機２０Ａの制御装置２３Ａが設けられて自転車の乗者により電動機２０Ａの発進停止等が無線又は有線で行われるようになっている。
後輪のせローラー台Ｂは、図５に示すように、６個の遊転ローラー１０Ｂとフレーム４０Ｂとを備えている。
遊転ローラー１０Ｂは、前端ローラー１０Ｂ１及び後端ローラー１０Ｂ６と中間ローラー１０Ｂ２、１０Ｂ３、１０Ｂ４及び１０Ｂ５とからなり、各ローラーは、それぞれ平行フレーム４１Ｂに軸支されている。各遊転ローラー１０Ｂの構造は、遊転ローラー１０Ａ（１０Ａ３を除く）と同じであるので詳細説明は省略する。
前端ローラー１０Ｂ１及び後端ローラー１０Ｂ６の各頂面は、中間ローラー１０Ｂ２、１０Ｂ３、１０Ｂ４、１０Ｂ５の各頂面より高い位置になるようにフレーム４１Ａに軸支されて、自転車５０の後輪５２を、各ローラーにのせて走行したとき、前端ローラー１０Ｂ１及び後端ローラー１０Ｂ６を乗り越えられないようにしている。
また、図５に示すように、後輪のせローラー台Ｂの自転車５０の後輪５２に設けた両足スタンド５４を立設したまま後輪５２を後輪のせローラー台Ｂのローラーにのせられるように、中間ローラー１０Ｂ３と１０Ｂ４の間をあけると共に、乗車したとき、立設した両足スタンド５４が接地面７０より僅かに浮き上がるように、接地距離を調節した接地板６０を配設すれば、自転車５０の自立走行の練習が極めて容易になる。
本発明の構成は、上述のようであるので、図６に示すように、自転車５０の前輪５１を前輪のせローラー台Ａにのせ、自転車の後輪５２を後輪のせローラー台Ｂにのせ、自転車のペタル５３を回動して後輪５２を回転すると共に、前輪のせローラー台Ａの電動機２０Ａを起動回転すれば、電動機軸２１Ａのプーリ２２Ａが回転してベルト３０Ａを介して遊転ローラー１０Ａ３が駆動回転するので、前輪５１は回転し、自転車３０は２台のローラ台Ａ及びＢ上を自立走行することになる。
【産業上の利用可能性】
【０００８】
本発明自転車走行練習装置は、構造簡単、小型軽量、安価に製作できる。
【図面の簡単な説明】
【０００９】
【図１】本発明実施例の前輪のせローラー台の平面からみた説明図である。
【図２】図１の側面からみた説明図である。
【図３】図１の遊転ローラーの説明図である。
【図４】図１のベルト駆動される遊転ローラーの説明図である。
【図５】本発明実施例の後輪のせローラー台の側面からみた説明図である。
【図６】本発明実施例の使用状態説明図である。
【符号の説明】
【００１０】
Ａ                                                    前輪のせローラー台
Ｂ                                                    後輪のせローラー台
１０Ａ１、１０Ａ２、１０Ａ３、１０Ａ４、１０Ａ５      遊転ローラー
１０Ｂ１、１０Ｂ２、１０Ｂ３、１０Ｂ４、１０Ｂ５      遊転ローラー
２０                                                  電動機
４０Ａ、４１Ａ、４２Ａ、４０Ｂ、４１Ｂ、４２Ｂ        フレーム
５０                                                  自転車
５１                                                  前輪
５２                                                  後輪
５３                                                  ペタル
【図１】
2008068810.tif 000003
【図２】
2008068810.tif 000004
【図３】
2008068810.tif 000005
【図４】
2008068810.tif 000006
【図５】
2008068810.tif 000007
【図６】
2008068810.tif 000008